(57)【要約】【課題】      アルミ製既設サッシにアルミ製新設サッシをカバー工法で設置するに際して，その下枠部分の改装を可及的簡易に行えるようにする。【解決手段】  既設下枠１１の室外側ガイドレール１１５をレール基板１１１から除去した上，この既設下枠１１をカバーするように新設下枠２１を配置して，新設下枠２１の室内側額縁２１３を既設下枠１１の室内側額縁１１３に重合し，新設下枠２１の室外側ガイドレール２１５近傍でレール基板２１１を既設下枠１１の残存した網戸レール１１６上に載置し，重合した室内側額縁２１３，１１３と室外端の室外側固定片２１７と網戸レール１１６とをそれぞれネジ６止めする。新設下枠２１の平均厚肉より垂直連結部２１２と室内側額縁２１３を厚肉化することによって，これらによる厚肉Ｌ字部分がネジ６止め状態で新設下枠２１のサッシ荷重による変形を防止できるようにする。【選択図】    図３
2006342542.tif 000002
【特許請求の範囲】
【請求項１】
室内外一方のサッシ戸用室外側突出レールをレール基板から除去した既設下枠と，該既設下枠をカバーするように該既設下枠を覆って既設下枠に対して重合した水平の室内側額縁の下向きネジ止め及び室外端の横向きネジ止めによる室内外２箇所でネジ固定した新設下枠とを備え且つ該新設下枠の上記室内側額縁及び該額縁から垂下してレール基板に至る垂直連結部を該新設下枠の標準肉厚より厚肉化することによって上記新設下枠のサッシ戸荷重を支持自在としてなることを特徴とする引違いサッシの下枠改装構造。
【請求項２】
上記既設下枠がその上記室外側突出レールの室外端に残存した網戸レールを備え，該網戸レールによって新設下枠におけるレール基板をその室外側突出レール近傍位置において下支え支持自在とするとともに上記新設下枠の室外端の横向きネジ止めを該網戸レールに対して行ってなることを特徴とする請求項１に記載の引違いサッシの下枠改装構造。
【発明の詳細な説明】
【技術分野】
【０００１】
本発明は，いわゆるカバー工法による改装サッシに関し，特に引違いサッシの下枠改装構造に関する。
【背景技術】
【０００２】
この種のカバー工法による改装サッシは，残存した既設サッシ枠に新設サッシ枠をカバーするように該既設サッシ枠を覆った状態で該新設サッシ枠既設サッシ枠に固定するものとされており，従前はスチールの既設サッシ枠をアルミの新設サッシ枠でカバーするものとされていたが，近年昭和５０年代頃からのアルミの既設サッシ枠に対して同じくアルミの新設サッシ枠を用いてそのカバーによる改装を行う傾向が生じている。このようにアルミの既設サッシ，特に引違いサッシの下枠改装構造として，例えば室内外一方のサッシ戸用室外側突出レールをレール基板から除去するとともに室内外他方のサッシ戸用室内側突出レールを残存する一方，新設下枠とは別部材の断面下向きコ字状の長尺支持部材を用い，その室外側起立片を上記残存した室内側突出レールに対接するように該長尺支持部材をレール基板上に載置した上で，上記室外側起立片から室内側突出レールに対してネジ止めしてその固定を行い，該既設下枠に載置固定した長尺支持部材をレール基板上の支持基台として室内側額縁を備えない新設下枠のサッシ戸用室内側突出レール近傍を載置して該新設下枠のレール基板から支持基台に対してネジ止めし，また既設下枠に対して重合した室外側垂直の下向き突片とをネジ止めした構造のものが知られている。
【０００３】
【特許文献１】特開２００３−３２８６４７号公報
【発明の開示】
【発明が解決しようとする課題】
【０００４】
この場合，新設下枠が既設下枠から殆ど開口面に突出するのを防止でき，カバー工法における開口の狭まりを可及的に抑制した新設下枠の設置をなし得ることになるとともに新設下枠が支持基台に載置固定されることによってサッシ戸荷重を支持して撓み等のない下枠改装構造とすることが可能となるが，一方で長尺支持部材を支持基台として用い，これを既設下枠の残存した室内側突出レールに対接してネジ止め固定を行う必要が生じる。このため下枠改装の工事は，既設下枠における室内外一方のサッシ戸用室外側レールの除去，レール基板上に設置された戸当りブロック等の除去，室内側レールに対する長尺支持部材の設置，新設下枠の載置とネジ止め固定を経ることになるところ，特に長尺支持部材の設置は，そのネジ止め固定がネジを室内側に向けた状態で長尺支持部材側から突出レールに対して螺入して行うこと，このネジ止め固定を長尺支持部材の長手方向複数箇所で行うことが必要であり，このため改装工事が煩雑となることを避けられず，改装工事の作業性を損なうことになり易い。
【０００５】
本発明はかかる事情に鑑みてなされたもので，その解決課題とするところは，アルミの引違い既設サッシの下枠改装を可及的簡易な作業によってなし得るとともにサッシ戸荷重の支持を確実に支持し得るようにした引違いサッシの下枠構造を提供するにある。
【課題を解決するための手段】
【０００６】
上記課題に沿って本発明は，既設下枠の室内外一方のサッシ戸用室外側突出レールを除去するも，新設下枠の水平の室内側額縁と室外側垂直の下向き突片を残存した既設下枠の同じく水平の室内側額縁と室外端の室内外２箇所における交差方向のネジ止めによって固定して既設下枠に新設下枠をカバーするように設置することによって下枠の改装工事を簡易且つ確実になし得るものとする一方，サッシ戸の荷重，特に室内外他方の室内側サッシ戸の荷重を上記重合固定した室内側額縁及びこれから垂下して新設下枠のレール基板に至る垂直連結部を新設下枠の標準的な肉厚より厚肉化することによって該新設下枠における充分なサッシ戸の耐荷重性を確保するようにしたものであって，即ち請求項１に記載の発明を，室内外一方のサッシ戸用室外側突出レールをレール基板から除去した既設下枠と，該既設下枠をカバーするように該既設下枠を覆って既設下枠に対して重合した水平の室内側額縁の下向きネジ止め及び室外端の横向きネジ止めによる室内外２箇所でネジ固定した新設下枠とを備え且つ該新設下枠の上記室内側額縁及び該額縁から垂下してレール基板に至る垂直連結部を該新設下枠の標準肉厚より厚肉化することによって上記新設下枠のサッシ戸荷重を支持自在としてなることを特徴とする引違いサッシの下枠改装構造としたものである。
【０００７】
請求項２に記載の発明は，上記に加えて，既設下枠が網戸レールを備えたものであるときに該網戸レールを残存しこれを新設下枠の下支え支持部とすることによって新設下枠における室内外一方の室外側サッシ戸の耐荷重性を同時に確保し，新設下枠の耐荷重性を更に高度化するとともに室外端のネジ固定を該網戸レールに対して行うことによって網戸レール高さ範囲内の任意位置でのネジ受けを自在としてネジ止め作業を容易化するように，これを，上記既設下枠がその上記室外側突出レールの室外端に残存した網戸レールを備え，該網戸レールによって新設下枠におけるレール基板をその室外側突出レール近傍位置において下支え支持自在とするとともに上記新設下枠の室外端の横向きネジ止めを該網戸レールに対して行ってなることを特徴とする請求項１に記載の引違いサッシの下枠改装構造としたものである。
【０００８】
本発明はこれらをそれぞれ発明の要旨として上記課題解決の手段としたものである。
【発明の効果】
【０００９】
本発明は以上のとおりに構成したから，請求項１に記載の発明は，既設下枠の室内外一方のサッシ戸用室外側突出レールを除去するも，新設下枠の水平の室内側額縁と室外側垂直の下向き突片を残存した既設下枠の同じく水平の室内側額縁と室外端の室内外２箇所における交差方向のネジ止めによって固定して既設下枠に新設下枠をカバーするように設置することによって下枠の改装工事を簡易且つ確実になし得るものとする一方，サッシ戸の荷重，特に室内外他方の室内側サッシ戸の荷重を上記重合固定した室内側額縁及びこれから垂下して新設下枠のレール基板に至る垂直連結部を新設下枠の標準的な肉厚より厚肉化することによって該新設下枠における充分なサッシ戸の耐荷重性を確保するようにして，アルミの引違い既設サッシの下枠改装を可及的簡易な作業によってなし得るとともにサッシ戸荷重の支持を確実に支持し得るようにした引違いサッシの下枠構造を提供することができる。
【００１０】
請求項２に記載の発明は，上記に加えて，既設下枠が網戸レールを備えたものであるときに該網戸レールを残存しこれを新設下枠の下支え支持部とすることによって新設下枠における室内外一方の室外側サッシ戸の耐荷重性を同時に確保し，新設下枠の耐荷重性を更に高度化するとともに室外端のネジ固定を該網戸レールに対して行うことによって網戸レール高さ範囲内の任意位置でのネジ受けを自在としてネジ止め作業を容易化したものとすることができる。
【発明を実施するための最良の形態】
【００１１】
以下図面の例に従って本発明を更に具体的に説明すれば，Ａは上枠１０，下枠１１，左右の縦枠１２を枠組みして建物に設置された既設サッシ，Ｂは同じく上枠２０，下枠２１，左右の縦枠２２を枠組みして既設サッシＡをカバーするようにカバー工法によってサッシ改装を行った新設サッシであり，これら既設サッシＡ及び新設サッシＢはいずれもアルミ押出形材を加工したアルミ材を用いたアルミ製のものとしてあり，これらの枠組みは常法に従って既設サッシＡの上枠１０及び下枠１１，新設サッシＢの上枠２０及び下枠２１のタッピングホールにそれぞれ左右の縦枠１２，２２からタッピングネジを螺入することによって正面において矩形開口を形成するように行ってある。
【００１２】
既設サッシＡ及び新設サッシＢは，それぞれ上枠１０，２０と下枠１１，２１に設置した室内外に各一対のガイドレール１０1，１０２，１１４，１１５，２０２，２１４，２１５によって図示省略のサッシ戸を案内することによって該サッシ戸を引違い開閉自在とする引違いサッシとしてあり，該新設サッシＢによるサッシ改装は，既設サッシＡの上枠１０と左右の縦枠１２をそのまま残存し既設サッシＡとの間に取付補強板３とその外側の調整ライナー４とを介して新設サッシＢの上枠２０と左右の縦枠２１を配置して相互に重合した室内側の突片１０３，２０３間及び上枠基板２１１，縦枠基板２２２と上記取り付け補強板３間に交差方向にネジ６を螺入してネジ止めによってその固定を行って新設サッシＢを上記既設サッシＡをカバーするように配置してあり，これによって既設サッシＡの撤去と新設サッシＢの新規設置による斫り工法等の煩雑さを解消したものとしてある。
【００１３】
このとき該引違いサッシの下枠改装は，室内外一方のサッシ戸用室外側突出レール１１５をレール基板１１１から除去した既設下枠１１と，該既設下枠１１をカバーするように該既設下枠１１を覆って既設下枠１１に対して重合した水平の室内側額縁１１３の下向きネジ止め及び室外端の横向きネジ止めによる室内外２箇所でネジ６固定した新設下枠２１とを備え且つ該新設下枠２１の上記室内側額縁２１３及び該額縁２１３から垂下してレール基板２１１に至る垂直連結部２１２を該新設下枠２１の標準肉厚より厚肉化することによって上記新設下枠２１のサッシ戸荷重を支持自在としたものとしてあり，このとき本例の既設下枠１１は，これがその上記室外側突出レール１１５の室外端に残存した網戸レール１１６を備え，該網戸レール１１６によって新設下枠２１におけるレール基板２１１をその室外側突出レール２１５近傍位置において下支え支持自在とするとともに上記新設下枠２１の室外端の横向きネジ止めを該網戸レール１１６に対して行った構造のものとしてある。
【００１４】
即ち本例の既設下枠１１は，階段状のレール基板１１１と，該レール基板１１１の室内側に起立した垂直連結部１１２と，該垂直連結部１１２と断面Ｌ字状をなすようにその上端に室内側に水平に突出した室内側額縁１１３と，上記レール基板１１１幅方向中間の上位傾斜部分上に内外に離隔して起立したサッシ戸用室内側突出レール１１４及び室外側突出レール１１５と，該室外側突出レール１１５から段差をなすように室外側に突出したレール基板１１１の下位突出部分の室外端の先端に起立した網戸レール１１６とを備え，またレール基板１１６の下面には図示省略のアンカーを介して既設下枠１１をコンクリート躯体に固定したアンカー突起１１７を備えたものとしてあり，該既設下枠１１は，下枠改装に際して，上記室外側一方のサッシ戸用室外側突出レール１１５を，例えばそのレール基板１１１の付根から切断乃至剥ぎ取りによって除去する一方，その余の室内側突出レール１１４及び網戸レール１１６をそのまま残存したものとしてある。
【００１５】
また本例の新設下枠２１は，新設上枠２０及び新設縦枠２２が既設上枠１０及び既設縦枠１２をカバーするのと同様に既設下枠１１の室内側から室外側の全体をカバーする形状寸法を備えたものとしてあり，このとき該新設下枠２１は，上下の段差を大きくした階段状のレール基板２１１と，該レール基板２１１の室内側に起立した，既設下枠１１より短寸の垂直連結部２１２と，該垂直連結部２１２と断面Ｌ字状をなすようにその上端に室内側に水平に突出した室内側額縁２１３と，上記レール基板２１１の上位水平部分の室外端に起立したサッシ戸用室内側突出レール２１４及び上記レール基板２１１の下位傾斜部分上の幅方向中間にしてやや室外端寄りに垂直に起立したサッシ戸用室外側突出レール２１５と，該室外側突出レール２１５から段差をなしてＬ字上に突出して上向きに起立した網戸レール２１６と，上記レール基板２１１の先端近傍から下向きに突出した室外側固定片２１７とを備えるとともに上記レール基板２１１の垂直連結部下位に既設下枠１１の垂直連結部１１２との間を気密材で封止する気密材受溝２１８及び上記室内側突出レール２１４下位のレール基板２１１垂直部上端近傍から室外側突出レール側２１５に向けて突出しサッシ戸間を図示省略の気密材で封止する気密材受溝２１９を備えてものとしてある。
【００１６】
このとき本例の新設下枠２１における上記水平の室内側額縁２１３と垂直連結部２１２は，新設下枠２１の他の部位における標準肉厚よりその肉厚を厚肉化してあり，本例にあって該新設下枠２１は，例えばレール基板２１１を１．５ｍｍ程度とする如くに，概ねその標準肉厚を１〜１．５ｍｍとするのに対して上記室内側額縁２１３及び垂直連結部２１２の設計肉厚を２ｍｍ程度，例えば室内側額縁２１３を２〜２．５ｍｍ，本例にあっては２．３ｍｍ，垂直連結部２１２を２〜４ｍｍ，本例にあっては２ｍｍとしてあり，このとき本例の垂直連結部２１２は，その高さの１／３乃至２／３程度の上端乃至中間部分に室外側に向けて部分的肉盛を施すことによって該垂直連結部２１２を部分突起状の厚肉補強部２１２ａを備えたものとしてあり，本例にあって該厚肉補強部２１２ａは，例えば垂直連結部２１２高さ１３ｍｍに対して１／２強の６ｍｍの高さにして肉盛を２ｍｍ程度とすることによって該厚肉補強部２１２ａの合計肉厚を４ｍｍ程度としてある。このように室内側額縁２１３及び垂直連結部２１２を厚肉化することによって新設下枠２１の室内側にこれら室内側額縁２１３と垂直連結部２１２による厚肉Ｌ字部分を形成し，該厚肉Ｌ字部分が後述の如くに新設下枠２１の形状を補強維持して，新設下枠２１の設置状態においてレール基板２１１撓み防止機能を発揮するようにしてあり，またこのとき本例の上記室内側額縁２１３は，その下面，例えば室内側端部と中央位置より室外側に変位した中間位置に離隔一対の同じく厚肉とした下向きの支持突起２１３ａを突設し，該支持突起２１３ａを介してその室内側額縁２１３を既設下枠１１の室内側額縁１１３に重合配置するものとして同じく新設下枠２１の設置状態において上記厚肉Ｌ字状部分が更にスプリング機能を発揮するようにしてある。
【００１７】
既設下枠１１に対する新設下枠２１の設置は，既設下枠１１に固定されている戸当ブロック等の引違いサッシの部品を撤去し，工具によってその室外側突出レール１１５を剥ぎ取るように除去した後に，予め枠組みした新設サッシＢの新設下枠２１を既設下枠１１にこれをカバーするように設置すればよく，このとき工具はニッパー，特に圧搾空気で作動するエアニッパーを使用することによって容易且つ確実に室外側突出レール１１５の除去を行うことができる。
【００１８】
新設下枠２１の既設下枠１１に対する設置は，新設下枠２１の室内側額縁２１３と室外端，本例にあっては上記レール基板２１１先端近傍の室外側固定片２１７を，既設下枠１１の室内側額縁１１３と室外端，本例にあっては網戸レール１１６に重合するとともに新設下枠２１のレール基板２１１をその室外側突出レール２１５近傍位置で網戸レール１１６上に載置することによって，該新設下枠２１が既設下枠１１をカバーするように配置し，上記重合した室内側額縁２１３，１１３と室外端，即ち室外側固定片２１７と網戸レール１１６とをネジ止めし固定することによって行ってある。このとき上記室内側額縁２１３に支持突起２１３ａを備えた本例の新設下枠２１にあって，該室内側額縁２１３はその一対の支持突起２１３ａを既設下枠１１の室内側額縁１１３に載置するか，新設下枠２１の室外側額縁２１３が既設下枠１１の室内側額縁１１３より突出幅が大のとき，その室外側一方の支持突起２１３ａは，これを窓台上に載置するようにしてあり，また新設下枠２１における垂直連結部２１２下位の気密材受溝２１８に嵌着した気密材が既設下枠１１の垂直連結部１１２に対して対接するように行うようにしてある。更に本例の新設下枠２１におけるレール基板２１１の既設下枠１１の網戸レール１１６に対する載置は，これを直接に載置するか，納まりの必要に応じて該レール基板  裏面にその長手方向に接着等によって固定したスペーサー５を介して載置するようにしてあり，該スペーサー５を使用することによって納まり上生じることある空隙によって新設下枠  が垂れ下がるのを防止し得るようにしてある。
【００１９】
上記室内側額縁２１３，１１３及び室外端のネジ止めはその固定を確実にするように，そのネジ６は，例えばテグスネジを用いて，室内側額縁２１３においては既設下枠１１のタッピングホール位置にこれを螺入し，また室外端においても既設下枠１１の網戸レール１１６下端からレール基板１１１に至るようにこれを螺入したものとするのが好ましい。
【００２０】
図中２０４，２２３はそれぞれ新設サッシＢの上枠２０及び縦枠２２の室内側額縁を示す。
【００２１】
このように構成した本例の下枠改装構造にあっては，既設下枠１１の室内側額縁１１３及び網戸レール１１６に重合した新設下枠２１の水平の室内側額縁２１３と室外端，本例にあっては垂直の室外側固定片２１７とが室内外２箇所で交差方向にネジ６によって固定される一方，新設下枠２１のレール基板２１１をその室外側突出レール２１５近傍位置で網戸レール１１６上に載置し，新設下枠２１のレール基板２１１が網戸レール１１６に下支え支持された状態とされる。このとき該室内外２箇所の交差方向のネジ６固定と網戸レール１１６によるレール基板２１１の下支え支持の状態で，室内側額縁２１３と厚肉補強部２１２ａを備えた垂直連結部２１２が標準肉厚より厚肉化され，これによって形成される厚肉Ｌ字部分が室内側にあってサッシ戸荷重を受ける新設下枠２１の形状，特にレール基板２１１を補強維持することにより新設下枠２１の保形性を高度に確保し，サッシ戸荷重によってレール基板２１１が垂れ下がり状に下向きに撓むのを防止するようにレール基板２１１の撓み防止機能を発揮するものとなり，またこのとき一対の支持突起２１３ａを介して厚肉の室内側額縁２１３が既設下枠１１の室内側額縁１１３と重合固定されることによって上記厚肉Ｌ字状部分がスプリング機能を発揮し，サッシ戸荷重を受ける上記レール基板２１１を更に補強し，その保形性を更に高度化することができる。また本例の下枠改装構造は，既存下枠１１の室外側突出レール１１５を除去し，新設下枠２１を配置して２箇所のネジ６固定によって新設下枠２１の設置を行うことができ，サッシ戸荷重を支持するために従来技術のように長尺支持部材を用いてその室内側に向けたネジ固定を行う等煩雑な作業を不要とし，引違いサッシの改装工事を簡易且つ確実になし得るものとすることができる。
【００２２】
図示した例は以上のとおりとしたが，室外端の固定を，上記既設下枠の網戸レールに代えて，網戸レールのない既設下枠の，例えばレール基板に垂下するように設置された水切片やレール基板下位の垂下片に対して行うようにすること，新設下枠の垂直連結部の厚肉化をその高さ方向全体について行うようにすること，室内側額縁の上記支持突起の設置を省略して既設下枠の室外側額縁に直置きしてネジ固定するようにすること等を含めて，本発明の実施に当って，既設下枠，そのレール基板，突出レール，新設下枠，その室内側額縁，垂直連結部，室外端，これらのネジ固定，厚肉化，必要に応じて用いる既設下枠の網戸レール，新設下枠の下支え支持等の各具体的形状，構造，これらの関係，これらに対する付加等は，上記発明の要旨に反しない限り様々な形態のものとすることができる。
【図面の簡単な説明】
【００２３】
【図１】改装サッシの縦断面図である。
【図２】改装サッシの横断面図である。
【図３】図１の下枠部分の拡大縦断面図である。
【符号の説明】
【００２４】
Ａ  既設サッシ
Ｂ  新設サッシ
１０  既設上枠
１１  既設下枠
１１１  レール基板
１１２  垂直連結部
１１３  室内側額縁
１１４  室内側ガイドレール
１１５  室外側ガイドレール
１１６  網戸レール
１２  既設縦枠
２０  新設上枠
２１  新設下枠
２１１  レール基板
２１２  垂直連結部
２１３  室内側額縁
２１４  室内側ガイドレール
２１５  室外側ガイドレール
２１６  網戸レール
２１７  室外側固定片
２２  新設縦枠
【図１】
2006342542.tif 000003
【図２】
2006342542.tif 000004
【図３】
2006342542.tif 000005